(57)【要約】【課題】業務パッケージの種類に依存することなく、マスタセットアップ作業の進捗状況をリアルタイムに把握可能にする。【解決手段】本発明の一実施形態に係るマスタセットアップ支援フレームワークシステムは、業務パッケージで使用されるマスタに対するマスタセットアップの完了日限および登録状況を含む進捗管理情報がマスタ毎に記録された進捗管理票を順次読込み、登録状況が未完了である進捗管理情報を抽出する進捗管理情報抽出部と、抽出された進捗管理情報における完了日限とシステム日付との比較結果に基づいて、マスタセットアップの進捗状況を複数のステータスに分類してマスタ毎に判定する進捗状況判定部と、マスタを識別するマスタ名とステータスとを関連付けて表示する進捗状況表示画面を作成する進捗状況表示部と、を備える。【選択図】図１
2016218537.tif 000002
【特許請求の範囲】
【請求項１】
業務パッケージで使用されるマスタに対するマスタセットアップの完了日限および登録状況を含む進捗管理情報が前記マスタ毎に記録された進捗管理票を順次読込み、前記登録状況が未完了である前記進捗管理情報を抽出する進捗管理情報抽出部と、
前記抽出された進捗管理情報における前記完了日限とシステム日付との比較結果に基づいて、前記マスタセットアップの進捗状況を複数のステータスに分類して前記マスタ毎に判定する進捗状況判定部と、
前記マスタを識別するマスタ名と前記ステータスとを関連付けて表示する進捗状況表示画面を作成する進捗状況表示部と、
を備えることを特徴とするマスタセットアップ支援フレームワークシステム。
【請求項２】
少なくとも前記マスタセットアップにおけるマスタ間での入力順序および前記マスタに対する入力の必須判定区分を業務カテゴリに関連付けた業務カテゴリ情報を定義するマスタセットアップ情報定義部と、
前記業務カテゴリ情報から抽出した前記業務カテゴリと前記マスタとの相関関係を示すマッピング情報を保持して、前記業務カテゴリおよび前記マスタのマスタ名をそれぞれ選択可能な検索画面を表示するとともに、前記検索画面上で前記業務カテゴリが選択された場合には前記業務カテゴリをキーとして前記マッピング情報を検索して関連する前記マスタを抽出し、前記マスタが選択された場合には前記マスタの識別子に基づいて前記マッピング情報を検索して関連する前記業務カテゴリを抽出し、それぞれの抽出情報に基づいて前記検索画面の表示を切り替えるマトリクス検索部と、
を更に備えることを特徴とする請求項１記載のマスタセットアップ支援フレームワークシステム。
【請求項３】
前記マスタセットアップ情報定義部が、前記マスタ毎に項目名、データ型を含むマスタ定義情報と前記マスタセットアップにおける前記マスタ毎の入力予定件数を示す予定件数情報を更に定義し、かつ、
前記マスタセットアップの入力実績件数、前記入力予定件数、および前記ステータスをマスタ毎に関連付けて記憶する進捗情報テーブルと、
前記マスタ定義情報に基づいて前記マスタにアクセスするとともに、前記マスタセットアップの前記入力実績件数を抽出し、前記進捗情報テーブルを更新するデータベース抽出部と、
を更に備えることを特徴とする請求項２記載のマスタセットアップ支援フレームワークシステム。
【請求項４】
前記進捗情報テーブルから前記入力実績件数、前記入力予定件数を前記マスタ毎に取得するとともに、前記マスタセットアップ情報定義部から前記業務カテゴリ情報を取得し、前記業務カテゴリ情報に含まれる前記マスタの識別子をキーとして前記マスタ毎および前記業務カテゴリ毎に前記入力予定件数に対する前記入力実績件数の百分率であるＫＰＩ評価値を計算し、一覧または時系列のグラフとして画面表示するＫＰＩ評価部を更に備えることを特徴とする請求項３記載のマスタセットアップ支援フレームワークシステム。
【請求項５】
業務パッケージで使用されるマスタに対するマスタセットアップの完了日限および登録状況を含む進捗管理情報が前記マスタ毎に記録された進捗管理票を順次読込み、前記登録状況が未完了である前記進捗管理情報を抽出する進捗管理情報抽出ステップと、
前記抽出された進捗管理情報における前記完了日限とシステム日付との比較結果に基づいて、前記マスタセットアップの進捗状況を複数のステータスに分類して前記マスタ毎に判定する進捗状況判定ステップと、
前記マスタを識別するマスタ名と前記ステータスとを関連付けて表示する進捗状況表示画面を表示する進捗状況表示ステップと、
を有することを特徴とするマスタセットアップ支援方法。
【発明の詳細な説明】
【技術分野】
【０００１】
本発明の実施態様は、マスタセットアップ支援フレームワークシステムおよびマスタセットアップ支援方法に関する。
【背景技術】
【０００２】
一般的に、業務パッケージにおけるマスタセットアップの手順は、データの種類、データの入力手順、マスタの使用方法、各マスタ相関図を記載したドキュメントにより定義されている。このため、従来のマスタセットアップでは、これらドキュメントを元に登録順をマスタセットアップ者が判断している。また、マスタの追加、変更、削除が発生した場合には、影響を受ける関連マスタやパッケージ機能についてマスタセットアップ者が調査した上で、入力可否を判断している。
【先行技術文献】
【特許文献】
【０００３】
【特許文献１】特開２０００−２２２４０９号公報
【発明の概要】
【発明が解決しようとする課題】
【０００４】
上述のような従来技術では、業務パッケージが正しく働くように、最適なマスタセットアップを行うためには、マスタセットアップ者には高度なシステムインテグレーション技術が要求される。このため、マスタセットアップ者に対する教育や継続的な技術支援が必要となっており、多大なコストと時間を要していた。
【０００５】
また、業務パッケージのマスタは多数あるため、マスタセットアップは複数の入力担当者が並行して入力を行うことが一般的である。そして、マスタセットアップはシステムインテグレーションベンダがマスタセットアップ者に対し、入力依頼を行い、プロジェクト定例会等で仕上がりを確認している。これら事項の依頼／完了のステータスは作業記録として残すことで、管理を行っている。しかしながら、マスタセットアップは多岐に渡るため、どのマスタに対し、誰が、いつまでに作業完了するかをリアルタイムに管理することは困難であった。
【０００６】
また、従来技術においては、マスタセットアップの進捗評価は、入力実績件数／入力予定件数を百分率で評価して定量評価を行っている。しかしながら、入力実績件数はデータベースに接続し、各マスタ毎に入力実績件数を抽出する必要があり、抽出のためのプログラム生成、進捗管理票への転記、定量評価計算等の手間がかかる。このため、プロジェクト管理者に多大な負荷がかかっていた。
【０００７】
前述の通り、従来の業務パッケージのマスタセットアップ手順は高度なシステムインテグレーション技術者の指導（教育、入力支援）が必要であること、進捗状況を作業記録やデータベース内の入力実績を都度読み取りながら別途プロジェクト管理者が定量評価する必要があること等、人の能力に依存するところが大きかった。その結果、プロジェクト工期が長大となり、プロジェクトコストが増大する一因となっていた。また、これら人依存の問題点を克服するため、各種導入支援ツールが公開され活用されてきたが、各業務パッケージに特化したものであり、他業務パッケージへの再利用は難しかった。
【０００８】
本発明が解決しようとする課題は、業務パッケージの種類に依存することなく、マスタセットアップ作業の進捗状況をリアルタイムに把握可能にすることである。
【課題を解決するための手段】
【０００９】
本発明の一実施形態に係るマスタセットアップ支援フレームワークシステムは、業務パッケージで使用されるマスタに対するマスタセットアップの完了日限および登録状況を含む進捗管理情報が前記マスタ毎に記録された進捗管理票を順次読込み、前記登録状況が未完了である前記進捗管理情報を抽出する進捗管理情報抽出部と、前記抽出された進捗管理情報における前記完了日限とシステム日付との比較結果に基づいて、前記マスタセットアップの進捗状況を複数のステータスに分類して前記マスタ毎に判定する進捗状況判定部と、前記マスタを識別するマスタ名と前記ステータスとを関連付けて表示する進捗状況表示画面を作成する進捗状況表示部と、を備えることを特徴とする。
【図面の簡単な説明】
【００１０】
【図１】本発明の一実施形態に係るマスタセットアップ支援フレームワークシステムの全体構成例を示すブロック図である。
【図２】図１に示す業務パッケージデータベースの一例を示すブロック図である。
【図３】図１に示すマスタセットアップ者情報テーブルのデータ例を示す図である。
【図４】図１に示すマスタセットアップ予定件数情報テーブルのデータ例を示す図である。
【図５】図１に示す業務カテゴリ定義情報データベースの一例を示すブロック図である。
【図６】図５に示す業務カテゴリ名称テーブルのデータ例を示す図である。
【図７】図５に示す業務カテゴリ関連定義テーブルのデータ例を示す図である。
【図８】図１に示すマスタ定義情報記憶部のデータ例を示すブロック図である。
【図９】マトリクス検索画面の一例を示す図である。
【図１０】図１に示す進捗管理票の一例を示す図である。
【図１１】図１に示す進捗状況判定部におけるステータス判定基準の一例を示す図である。
【図１２】図１に示す進捗状況表示部が表示する画面の一例を示す図である。
【図１３】図１に示す進捗・履歴情報データベースの一例を示すブロック図である。
【図１４】図１３に示す進捗情報テーブルのデータ例を示す図である。
【図１５】図１３に示すマスタセットアップ予実履歴テーブルのデータ例を示す図である。
【図１６】図１３に示すマスタ別ＫＰＩ平均レート履歴テーブルのデータ例である。
【図１７】図１３に示す業務別ＫＰＩ平均レート履歴テーブルのデータ例である。
【図１８】図１に示すＫＰＩ予実評価画面表示部が表示する画面の一例を示す図である。
【図１９】図１に示すマスタセットアップ予実グラフ表示部が表示するグラフの一例を示す図である。
【図２０】図１９に示すマスタセットアップ予実グラフの元となる履歴データを示す図である。
【図２１】図１に示すＫＰＩ評価グラフ表示部が表示するグラフの一例を示す図である。
【図２２】図２１に示すＫＰＩ評価グラフの元となる履歴データを示す図である。
【図２３】図１に示すデータベース抽出部の処理例を示すフローチャートである。
【図２４】図１に示すマトリクス検索部の処理例を示すフローチャートである。
【図２５】業務カテゴリ選択時における動作を説明する図である。
【図２６】ソート後のマッピング情報を説明する図。
【図２７】マスタ選択時における動作を説明する図である。
【図２８】図１に示す進捗抽出・判定部の処理例を示すフローチャートである。
【図２９】図１に示すＫＰＩ評価部の処理例を示すフローチャートである。
【図３０】ＫＰＩ評価一覧タブの選択時におけるＫＰＩ評価部の処理例を示すフローチャートである。
【図３１】ＫＰＩ評価履歴（グラフ表示）タブの選択時におけるＫＰＩ評価部の処理例を示すフローチャートである。
【発明を実施するための形態】
【００１１】
以下、本発明の一実施形態を図面に基づいて説明する。
【００１２】
図１は、本発明の一実施形態に係るマスタセットアップ支援フレームワークシステムの全体構成例を示すブロック図である。ここでは、マスタセットアップ支援フレームワークシステムは、業務パッケージデータベース１、マスタセットアップ情報定義部２、データベース抽出部３、マトリクス検索部４、進捗抽出・判定部５、進捗・履歴情報データベース６、ＫＰＩ評価部７を備えている。
【００１３】
図２は、図１に示す業務パッケージデータベース１の一例を示すブロック図である。ここでは、業務パッケージデータベース１は、商品コードマスタ１１、商品名称マスタ１２、取引先マスタ１３、販売価格マスタ１４、製造価格マスタ１５などを含んでいる。なお、これらのマスタはあくまで一例であり、業務パッケージの種類によってデータベースに含まれるマスタは大きく異なるため、各マスタの詳細な説明は省略する。
【００１４】
続いて、マスタセットアップ情報定義部２の機能について説明する。図１に示されるように、マスタセットアップ情報定義部２は、マスタセットアップ者情報テーブル２１、マスタセットアップ者定義部２２、マスタセットアップ予定件数情報テーブル２３、マスタセットアップ予定件数入力部２４、業務カテゴリ定義情報データベース２５、業務カテゴリ情報定義部２６、マスタ定義情報記憶部２７、マスタ定義情報抽出部２８を含んでいる。定義テーブル群は大きく４つのデータ要素（マスタセットアップ者情報、マスタセットアップ予定件数情報、業務カテゴリ定義情報、マスタ定義情報）で構成されている。
【００１５】
図３は、図１に示すマスタセットアップ者情報テーブルのデータ例を示す図である。マスタセットアップ者情報テーブル２１は、マスタ識別子、マスタ名、テーブル名、管理主幹部門、権限移譲部門をデータ項目として含んでいる。
【００１６】
マスタセットアップ者定義部２２は、図３に示されるようなマスタセットアップ者情報を定義する。本実施形態では、マスタセットアップ者情報は、各マスタを入力するにあたり主体となりうる部門を管理主幹部門として定義し、管理主幹部門の副担当を権限移譲部門を定義する。これら部門はプロジェクト定例会等でプロジェクトマネージャ、システムインテグレーション技術者の指導の下、合意を以って決定し、担当者が入力・定義するものとする。
【００１７】
図４は、図１に示すマスタセットアップ予定件数情報テーブル２３のデータ例を示す図である。マスタセットアップ予定件数情報テーブル２３は、マスタ識別子、マスタ名、テーブル名、各マスタの予想しうる入力予定件数をデータ項目として含んでいる。
【００１８】
マスタセットアップ予定件数入力部２４は、図４に示されるようなマスタセットアップ予定件数情報を入力する。本実施形態では、入力予定件数は、稼働中の他のフレームワークシステムや帳簿等の情報を元に大まかな入力予定件数を決定するものとする。また、入力予定件数は前述の管理主幹部門が決定するものとする。
【００１９】
図５は、図１に示す業務カテゴリ定義情報データベースの一例を示すブロック図である。同図に示されるように、業務カテゴリ定義情報データベース２５は、業務カテゴリ名称テーブル２５ａおよび業務カテゴリ関連定義テーブル２５ｂを含んでいる。なお、本実施形態において、業務カテゴリとは、マスタセットアップ入力順をマスタメンテナンス業務毎にカテゴリ化したものである。
【００２０】
図６および図７は、図５に示す業務カテゴリ名称テーブル２５ａと業務カテゴリ関連定義テーブル２５ｂのデータ例を示す図である。図６に示されるように、業務カテゴリ名称テーブル２５ａは、業務識別子と業務カテゴリ名称の組合せを業務カテゴリ名称定義として定義している。他方、図７に示されるように、業務カテゴリ関連定義テーブル２５ｂは、業務カテゴリ毎の入力上位／下位マスタを業務カテゴリ関連定義として定義している。
【００２１】
業務カテゴリ情報定義部２６は、図６および図７に示される業務カテゴリ情報を定義し、業務カテゴリ定義情報データベース２５に記憶する。業務カテゴリ名称定義および業務カテゴリ関連定義の２つの定義情報を組合せる事で、業務カテゴリ毎のマスタセットアップ順が抽出可能となる。一般的に、マスタセットアップ順はマスタセットアップの手引きやマスタ相関図として、業務パッケージ標準ドキュメントＤ１に定義されている。しかしながら、業務パッケージ標準ドキュメントＤ１だけでは定義しきれない業務カテゴリや、アドオン／カスタマイズを行い追加マスタが発生した場合等に対応するために、システムインテグレーション技術者のノウハウが多数存在する。例えば、システムインテグレーション技術者が経験上必要としているマスタ入力手順、または、業務パッケージをカスタマイズしたことで発生した追加マスタに関するマスタ入力順の知識がノウハウに該当する。これらのノウハウを業務カテゴリとして予め定義化することで、ノウハウの可視化が可能となる。これら４つのデータ要素が連携することで、後述のマトリクス検索システムへのデータ提供が可能となる。
【００２２】
図８は、図１に示すマスタ定義情報記憶部２７のデータ例を示すブロック図である。ここでは、マスタ定義情報記憶部２７は、商品コードマスタ１１のマスタ定義情報として、マスタ名、マスタ識別子、テーブル名の共通情報に加えて、商品コードマスタのデータ項目の項目名、項目ＩＤ、データ型とその桁数、初期値、必須フラグを記憶している。
【００２３】
マスタ定義情報抽出部２８は、業務パッケージ標準ドキュメントＤ１からマスタ定義情報を抽出し、マスタ定義情報記憶部２７に記憶する。また、マスタ定義情報抽出部２８は、後述するデータベース抽出部３からの要求に応じてマスタ定義情報記憶部２７からマスタ定義情報を取得し、データベース抽出部３へ送信する。
【００２４】
続いて、データベース抽出部３の機能について説明する。図１に示されるように、データベース抽出部３は、データベースアクセス部３１および実績件数抽出部３２を含んでいる。
【００２５】
データベースアクセス部３１は、予め定義したマスタ定義情報からテーブル定義情報を取得し、業務パッケージデータベース１に直接アクセスする。
【００２６】
実績件数抽出部３２は、各マスタの入力件数を取得し、マスタセットアップ実績件数として進捗情報テーブル６１に情報を格納し、進捗管理票Ｄ２に転記する。進捗情報テーブル６１に格納されたマスタセットアップ予定件数／実績件数は、後述のＫＰＩ評価部７の評価指数として活用する。
【００２７】
続いて、マトリクス検索部４の機能について説明する。図１に示されるように、マトリクス検索部４は、マッピング情報抽出部４１、画面表示変換部４２、検索画面表示部４３、関連業務カテゴリ検索要求部４４、関連業務カテゴリ情報抽出部４５を含んでいる。
【００２８】
マッピング情報抽出部４１は、業務カテゴリ情報から業務カテゴリとマスタとの相関関係を示すマッピング情報を抽出して保持する。検索画面上で業務カテゴリが選択された場合には、業務カテゴリをキーとしてマッピング情報を検索して関連するマスタを抽出し、画面表示変換部４２へ出力する。
【００２９】
画面表示変換部４２は、マッピング情報抽出部４１または関連業務カテゴリ情報抽出部４５からの情報に基づいて、後述する検索画面の表示を切り替える。
【００３０】
検索画面表示部４３は、ユーザが業務カテゴリおよびマスタ名をそれぞれ一覧より選択可能な検索画面を表示する。図９は、マトリクス検索画面の一例を示す図である。本画面を操作することで、業務カテゴリ毎のマスタセットアップ順の可視化、マスタメンテナンスを行うことで影響が発生する関連業務カテゴリの可視化がなされる。本画面は前述のテーブル定義情報をすべて読み込み、各画面素材にデータを格納し、画面表示された後に起動するものとする。ここでは、マトリクス検索画面には、業務カテゴリ選択ボックスＢ１、マスタ識別子ボックスＢ２、マスタ名称ボックスＢ３、マスタ選択ボックスＢ４、関連業務カテゴリリストＬ１が含まれている。
【００３１】
関連業務カテゴリ検索要求部４４は、マスタが選択された場合に、選択されたマスタの識別子を関連業務カテゴリ情報抽出部４５へ出力する。
【００３２】
関連業務カテゴリ情報抽出部４５は、マスタの識別子に基づいてマッピング情報を検索して関連する業務カテゴリを抽出し、画面表示変換部４２を介して検索画面の表示を切り替える。
【００３３】
図９では、画面内の業務カテゴリボックスＢ１から、業務カテゴリを選択することで、画面内にマスタセットアップ順が上からＭ００１、Ｍ００２、Ｍ００５と表示されている。マスタ識別子ボックスＢ２の強調表示されている部分は、マスタセットアップが必須であることを示している。マスタセットアップ者はメンテナンスを行いたい対象の業務カテゴリを選択することで、メンテナンス順序、必須／非必須を一目で確認することができる。
【００３４】
また、画面右側のマスタ名称選択ボックスＢ３を選択することで、選択したマスタに関連する業務カテゴリを検索し、一覧として下段に表示することができる。マスタメンテナンスを行った結果、影響が発生する業務カテゴリは本機能を活用することで瞬時に確認することができる。
【００３５】
続いて、進捗抽出・判定部５の機能について説明する。図１に示されるように、進捗抽出・判定部５は、進捗管理情報抽出部５１、進捗状況判定部５２、進捗状況表示部５３を含んでいる。
【００３６】
進捗管理情報抽出部５１は、業務パッケージで使用されるマスタに対するマスタセットアップの完了日限および登録状況を含む進捗管理情報がマスタ毎に記録された進捗管理票を順次読込み、登録状況が未完了である進捗管理情報を抽出する。図１０は、進捗管理票の一例を示す図である。同図に示されるような進捗管理票は、各マスタ毎に用意されており、進捗管理情報としてマスタセットアップの依頼事項、完了日限（登録期限）、完了記録を帳票形式で残すことを目的としている。各マスタに対するセットアップ予定はプロジェクト定例会等で決定し、依頼事項、完了日限、登録状況（完了記録）を漏れなく進捗管理票に記載すると好適である。図１０の例では、取引マスタのマスタデータ準備に関する２件の進捗管理情報が記録され、２件目については作業が未完了であることが示されている。
【００３７】
進捗状況判定部５２は、進捗管理情報抽出部５１で抽出された進捗管理情報における完了日限とシステム日付との比較結果に基づいて、マスタセットアップの進捗状況を複数のステータスに分類してマスタ毎に判定する。図１１は、進捗状況判定部５２におけるステータス判定基準の一例を示す図である。ここでは、各マスタセットアップ状況について「未（未完）」、「遅（遅延）」、「完（完了）」、「異（異常）」の４ステータスがあり、進捗管理情報が１件も起票されていない場合は空白（なし）となっている。進捗管理情報が１件以上起票されており、作業が完了していない、かつ、進捗チェック実行日と比較し登録期限に対して遅れがない場合、ステータスは、「未」となる。進捗管理情報が１件以上起票されており、作業が完了していない、かつ、進捗チェック実行日と比較し登録期限に対して遅れがある場合、ステータスは「遅」となる。進捗管理情報が１件以上起票されており、作業が完了している場合、ステータスは「完」となる。その他異常な数値を取得した場合、ステータスは「異」となる。
【００３８】
進捗状況表示部５３、進捗情報テーブル６１を参照して、マスタ名とステータスとを関連付けて表示する進捗状況表示画面を作成し、表示する。図１２は、進捗状況表示部５３が表示する画面の一例を示す図である。ここでは、マスタ名（共通）、マスタ識別子、マスタ名、テーブル名、ステータス、進捗状況、登録件数、予定件数（入力予定件数）をデータ項目とする一覧を含む進捗状況表示画面が示されている。進捗管理票の記入、マスタセットアップ進捗状況抽出・判定機能の定期的な実行、進捗情報テーブル６１の閲覧を繰り返すことで、図１２に示すように、各マスタセットアップ状況をリアルタイムに可視化することができる。各マスタセットアップの進捗状況を各々確認する手間が省け、「遅」「異」等のステータスをプロジェクト管理者が瞬時に察知し迅速にフォローアップが可能となるため、プロジェクト管理者の負荷を大幅に低減することが可能である。
【００３９】
続いて、進捗・履歴情報データベース６について説明する。図１３は、進捗・履歴情報データベース６の一例を示すブロック図である。ここでは、進捗・履歴情報データベース６は、進捗情報テーブル６１、マスタセットアップ予実履歴テーブル６２、マスタ別ＫＰＩ平均レート履歴テーブル６３、業務別ＫＰＩ平均レート履歴テーブル６４を含んでいる。図１４乃至図１７は、図１３に示す各テーブルのデータ例をそれぞれ示している。
【００４０】
進捗情報テーブル６１は、マスタ識別子、マスタ名、テーブル名、ステータス、進捗状況（マスタデータ準備／本番サーバ設定／…）、登録件数、予定件数をデータ項目として含んでいる。マスタセットアップ予実履歴テーブル６２は、マスタ識別子、予実区分（予定／実績）、時系列で並んだ複数の日付におけるＫＰＩ評価値（％）をデータ項目としている。マスタ別ＫＰＩ平均レート履歴テーブル６３は、マスタ識別子および時系列で並んだ複数の日付におけるＫＰＩ評価値（％）をデータ項目としている。業務別ＫＰＩ平均レート履歴テーブル６４は、業務識別子および時系列で並んだ複数の日付におけるＫＰＩ評価値（％）をデータ項目としている。
【００４１】
最後に、ＫＰＩ評価部７の機能について説明する。図１に示されるように、ＫＰＩ評価部７は、予実件数抽出部７１、ＫＰＩ評価値計算部７２、履歴転記部７３、ＫＰＩ予実評価画面表示部７４、マスタセットアップ予実グラフ表示部７５、ＫＰＩ評価グラフ表示部７６、ファイル保存部７７を含んでいる。
【００４２】
予実件数抽出部７１は、進捗情報テーブル６１から入力実績件数、入力予定件数をマスタ毎に取得する。ＫＰＩ評価値計算部７２は、マスタセットアップ情報定義部から業務カテゴリ情報を取得し、業務カテゴリ情報に含まれるマスタの識別子をキーとしてマスタ毎および業務カテゴリ毎に入力予定件数に対する入力実績件数の百分率であるＫＰＩ評価値を計算する。入力予定件数に対し入力実績件数が同数となった場合、ＫＰＩ評価値は１００％となり、対象マスタに対するマスタセットアップは予定に対して入力がすべて完了した事を意味する。
【００４３】
履歴転記部７３は、予実件数抽出部７１における抽出結果とＫＰＩ評価値計算部７２における計算結果を履歴情報として進捗管理票と進捗・履歴情報データベース６の各テーブルに転記する。
【００４４】
ＫＰＩ予実評価画面表示部７４は、ＫＰＩ評価値計算部７２における計算結果に基づいて図１８に示されるようなＫＰＩ評価一覧画面を作成し、表示する。また、ＫＰＩ予実評価画面表示部７４は、マスタ毎にＫＰＩ評価値を計算した結果を、業務カテゴリ毎に集計し再評価した値を画面に表示することもできる。例えば、図１８の例では、業務カテゴリが商品メンテナンスに係る全マスタのＫＰＩ評価値の平均レート（AveRate）が８５％となっている。また、図１８における予定数は前述したマスタセットアップ入力予定件数にあたり、実績数は前述したデータベース抽出部３により抽出されたマスタセットアップ実績件数にあたる。
【００４５】
マスタセットアップ予実グラフ表示部７５は、進捗・履歴情報データベース６のマスタセットアップ予実履歴テーブル６２に記憶されている履歴データに基づいて、図１９に示されるようなマスタセットアップ予実グラフを作成し、表示する。図２０は、図１９に示すマスタセットアップ予実グラフの元となる履歴データを示す図である。
【００４６】
図１９に示されるマスタセットアップ予実グラフでは、横軸は日付（年月日）とし、縦軸は件数（単位：件）となっている。入力予定件数と入力実績件数の双方を表示することで、入力予定件数に対する入力実績件数の開きを確認することができる。順調に入力が進んでいる場合は、同図のように入力予定件数と入力実績件数の開きが徐々に小さくなる傾向にあるが、入力実績が停滞している場合は入力実績のグラフが横ばいとなり、入力訂正／削除等を行った場合はグラフが下降し、開きが顕著に大きくなる。このようなポイントは更新されたマスタや進捗情報テーブル６１を閲覧するだけでは容易に気が付くことができない。これに対し、本実施形態では、本グラフを活用し、問題ポイントを瞬時に発見することが可能となる。また、場合によっては、入力実績件数が入力予定件数を超えてしまいうこともありうる。このような場合には入力予定件数の再設定を行い、経過観察を行うとよい。
【００４７】
ＫＰＩ評価グラフ表示部７６は、進捗・履歴情報データベース６の業務別ＫＰＩ平均レート履歴テーブル６４に記憶されている履歴データに基づいて、図２１に示されるようなＫＰＩ評価グラフを作成し、表示する。図２２は、図２１に示すＫＰＩ評価グラフの元となる履歴データを示す図である。図２１に示される業務カテゴリ毎のＫＰＩ評価グラフは、業務カテゴリ配下マスタの予実により評価値が上下することが多い。評価値が大きく下降している場合は、業務カテゴリ配下のマスタを確認し、マスタセットアップ予実グラフを合わせて確認する。予実件数、評価値の履歴保存を定期的な実行と確認を行うことで、プロジェクト管理者が早期に問題点を発見することが可能となる。
【００４８】
ファイル保存部７７は、図１９および図２１に示されるような評価グラフを記録した履歴ファイルを作成し、記憶装置（図示省略する）内に保存する。尚、本実施形態では省略したが、マスタ別ＫＰＩ平均レート履歴テーブル６３の履歴データをグラフ化して表示あるいはファイル保存することも可能である。
【００４９】
以下、上記のように構成されたマスタセットアップ支援フレームワークシステムの動作を図面に基づいて説明する。
【００５０】
＜データベース抽出＞
図２３は、図１に示すデータベース抽出部３の処理例を示すフローチャートである。この処理は、フレームワークの適用後において所定の周期で自動的に開始されるものである。
【００５１】
先ず、データベースアクセス部３１は、マスタ定義情報記憶部２７に記憶されているマスタ定義情報を取得する（Ｓ１０１）。
【００５２】
次に、データベースアクセス部３１は、取得したマスタ定義情報に基づいて業務パッケージデータベースにアクセスする（Ｓ１０２）。
【００５３】
次に、実績件数抽出部３２は、業務パッケージデータベース１の各マスタのデータ入力件数を取得する（Ｓ１０３）。
【００５４】
そして、実績件数抽出部３２は、データ入力件数を入力実績件数として進捗情報テーブル６１に格納し（Ｓ１０４）、処理を終了する。
【００５５】
＜マトリクス検索＞
図２４は、図１に示すマトリクス検索部の処理例を示すフローチャートである。この処理も、フレームワークの適用後において所定の周期で自動的に開始されるものである。
【００５６】
先ず、マッピング情報抽出部４１は、業務カテゴリ定義情報データベース２５を参照し、業務カテゴリ定義情報からマッピング情報を抽出する（Ｓ２０１）。  
次に、画面表示変換部４２は、検索画面表示部４３にマトリクス検索画面を表示させる（Ｓ２０２）。
【００５７】
次に、画面表示変換部４２は、マトリクス検索画面上で業務カテゴリが選択されたか否かを判定する（Ｓ２０３）。ここで、業務カテゴリが選択されたと判定した場合（Ｓ２０３：ＹＥＳ）には、Ｓ２０４へ進む。これに対し、業務カテゴリが選択されていないと判定した場合（Ｓ２０３：ＮＯ）には、Ｓ２０７へ進む。
【００５８】
Ｓ２０４において、マッピング情報抽出部４１は、マッピング情報から画面上で選択された業務カテゴリに属するマスタの識別子とマスタ名を抽出する。図２５は、業務カテゴリ選択時における動作を説明する図である。ここでは、（１）業務カテゴリ選択ボックスで業務カテゴリ名を選択する、（２）前記（１）で選択された業務カテゴリ名に基づいて業務カテゴリ名称テーブル２５ａにおける業務識別子を特定する、（３）前記（２）で特定された業務識別子に基づいて業務カテゴリ関連定義テーブル２５ｂからマッピング情報を取得するとともに、マッピング情報を解析してセットアップ順が最下位のマスタを特定し、最下位マスタから上位マスタおよび必須判定区分を順番に取得する、（４）セットアップ順に並べ替えたマッピング情報を画面描写する、の手順で検索が行われることが示されている。
【００５９】
次に、マッピング情報抽出部４１は、マスタセットアップ入力順および必須判定区分に基づいて抽出情報をソートし、画面表示変換部４２へ出力する（Ｓ２０５）。また、図２６は、ソート処理後のマッピング情報を説明する図である。図２６（Ａ）では、業務識別子がＧ００１、業務カテゴリ名が商品メンテナンスであるマッピング情報のイメージ図が示されている。マスタセットアップ順が商品コードマスタ、商品名称マスタ、製造原価マスタであり、商品コードマスタと商品名称マスタのセットアップは必須であることが示されている。図２６（Ｂ）では、業務識別子がＧ００２、業務カテゴリ名が販売価格メンテナンスであるマッピング情報のイメージ図が示されている。マスタセットアップ順が取引先マスタ、商品コードマスタ、販売原価マスタであり、取引先マスタと商品コードマスタのセットアップは必須であることが示されている。
【００６０】
次に、画面表示変換部４２は、検索画面表示部４３にマスタ一覧を含むマトリクス検索画面を表示させる（Ｓ２０６）。
【００６１】
Ｓ２０７において、関連業務カテゴリ検索要求部４４は、マトリクス検索画面上でマスタが選択されたか否かを判定する。ここで、マスタが選択されたと判定した場合（Ｓ２０７：ＹＥＳ）には、Ｓ２０８へ進む。これに対し、マスタが選択されていないと判定した場合（Ｓ２０７：ＮＯ）には、Ｓ２０９へ進む。
【００６２】
Ｓ２０８において、関連業務カテゴリ情報抽出部４５は、選択されたマスタに関連する業務カテゴリを全て取得し、画面表示変換部４２を介して検索画面表示部４３に関連業務カテゴリ一覧を含むマトリクス検索画面を表示させ、Ｓ２０９へ進む。図２７は、マスタ選択時における動作を説明する図である。ここでは、（１）マトリクス検索画面上でマスタを選択する、（２）（１）で選択されたマスタのマスタ識別子に基づいて業務カテゴリ関連定義テーブル２５ｂの上位マスタおよび下位マスタを検索する、（３）前記（２）で上位マスタまたは下位マスタに該当する業務識別子を取得する、（４）前記（３）で取得した業務識別子に基づいて業務カテゴリ名称テーブル２５ａから対応する業務カテゴリ名を取得する、（５）前記（４）で取得した業務カテゴリ名を関連業務カテゴリリスト内に描画する、の手順で検索が行われることが示されている。
【００６３】
Ｓ２０９において、検索画面表示部４３は、マトリクス検索画面上で画面終了コマンドが入力されたか否かを判定する。ここで、画面終了コマンドが入力されたと判定した場合（Ｓ２０９：ＹＥＳ）には、処理を終了する。これに対し、画面終了コマンドが入力されていないと判定した場合（Ｓ２０９：ＮＯ）には、Ｓ２０３へ戻る。
【００６４】
＜進捗抽出・判定＞
図２８は、図１に示す進捗抽出・判定部の処理例を示すフローチャートである。この処理も、フレームワークの適用後において所定の周期で自動的に開始されるものである。
【００６５】
先ず、進捗管理情報抽出部５１は、進捗判定の基軸となる日付として、プログラムを実行したシステム日付を取得する（Ｓ３０１）。  
次に、進捗管理情報抽出部５１は、未処理の進捗管理票の有無を判定する（Ｓ３０２）。ここで、未処理の進捗管理票が有ると判定した場合（Ｓ３０２：ＹＥＳ）には、Ｓ３０３へ進む。これに対し、ここで、未処理の進捗管理票は無いと判定した場合（Ｓ３０２：ＮＯ）には、処理を終了する。
【００６６】
Ｓ３０３において、進捗管理情報抽出部５１は、マスタ毎に作成されている進捗管理票のファイルを取得する。  
次に、進捗管理情報抽出部５１は、進捗管理票に含まれる進捗記録が全て正常値か否かを判定する（Ｓ３０４）。ここで、進捗記録が全て正常値と判定された場合（Ｓ３０４：ＹＥＳ）には、Ｓ３０５へ進む。これに対し、進捗記録が全て正常値ではないと判定された場合（Ｓ３０４：ＮＯ）には、Ｓ３０６へ進む。
【００６７】
Ｓ３０５において、進捗管理情報抽出部５１は、進捗管理票に含まれる未完了の進捗管理情報の完了日限を全て取得し、Ｓ３０７へ進む。
【００６８】
Ｓ３０６において、進捗状況判定部５２は、進捗管理票のマスタのマスタ識別子にステータス「異」を関連付けて進捗情報テーブル６１に書き込む。  
次に、進捗状況判定部５２は、進捗管理情報が１件以上あるか否かを判定する（Ｓ３０７）。ここで、進捗管理情報が１件以上あると判定された場合（Ｓ３０７：ＹＥＳ）には、Ｓ３０８へ進む。これに対し、進捗管理情報が０件と判定された場合（Ｓ３０７：ＮＯ）には、Ｓ３０２へ戻る。この場合、ステータスは無しのままとなる。
【００６９】
Ｓ３０８において、進捗状況判定部５２は、進捗管理情報の完了フラグが作業完了であるか否かを判定する。ここで、作業完了であると判定された場合（Ｓ３０８：ＹＥＳ）には、進捗状況判定部５２は、進捗管理票のマスタのマスタ識別子にステータス「完」を関連付けて進捗情報テーブルに書き込み（Ｓ３０９）、Ｓ３０２へ戻る。これに対し、作業完了ではないと判定された場合（Ｓ３０８：ＮＯ）には、Ｓ３１０へ進む。
【００７０】
Ｓ３１０において、進捗状況判定部５２は、システム日付が登録期限内あるか否かを判定する。ここで、システム日付が登録期限内であると判定した場合（Ｓ３１０：ＹＥＳ）には、進捗状況判定部５２は、進捗管理票のマスタのマスタ識別子にステータス「未」を関連付けて進捗情報テーブル６１に書き込み（Ｓ３１１）、Ｓ３０２へ戻る。これに対し、システム日付が登録期限を超えていると判定した場合（Ｓ３１０：ＮＯ）には、進捗状況判定部５２は、進捗管理票のマスタのマスタ識別子にステータス「遅」を関連付けて進捗情報テーブル６１に書き込み（Ｓ３１２）、Ｓ３０２へ戻る。
【００７１】
＜ＫＰＩ評価＞
図２９は、図１に示すＫＰＩ評価部７の処理例を示すフローチャートである。この処理は、メニュー画面上でＫＰＩ評価機能が選択された場合や所定の実行時刻になった場合に開始されるものである。
【００７２】
先ず、ＫＰＩ評価部７の予実件数抽出部７１は、進捗情報テーブル６１からマスタ毎に入力予定件数および入力実績件数を取得し、ＫＰＩ評価値計算部７２および履歴転記部７３に出力する（Ｓ４０１）。  
次に、履歴転記部７３は、入力予定件数および入力実績件数を進捗管理票に転記する（Ｓ４０２）。
【００７３】
次に、ＫＰＩ評価値計算部７２は、マスタ毎に入力予定件数および入力実績件数からＫＰＩ評価値を計算し、履歴転記部７３に出力する（Ｓ４０３）。  
次に、ＫＰＩ評価値計算部７２は、マスタ別ＫＰＩ評価値履歴テーブルにＳ４０３で計算したＫＰＩ評価値を保存する（Ｓ４０４）。
【００７４】
次に、ＫＰＩ評価値計算部７２は、業務カテゴリ毎にＫＰＩ評価値を計算する（Ｓ４０５）。  
次に、ＫＰＩ評価値計算部７２は、業務別ＫＰＩ評価値履歴テーブルにＳ４０５で計算したＫＰＩ評価値を保存する（Ｓ４０６）。  
そして、履歴転記部７３は、Ｓ４０３におけるマスタ毎のＫＰＩ評価値を進捗管理票に転記し（Ｓ４０７）、処理を終了する。
【００７５】
図３０は、ＫＰＩ評価一覧タブの選択時におけるＫＰＩ評価部７の処理例を示すフローチャートである。
【００７６】
先ず、予実件数抽出部７１およびＫＰＩ評価値計算部７２は、全てのマスタについての予実件数抽出処理およびＫＰＩ評価値計算処理を行う（Ｓ５０１）。この処理は、図２９で示した処理と同一であるため、所定時間内に実行済みの場合には省略してもよい。  
次に、ＫＰＩ予実評価画面表示部７４は、ＫＰＩ評価一覧画面を表示する（Ｓ５０２）。
【００７７】
次に、ＫＰＩ予実評価画面表示部７４は、ＫＰＩ評価一覧画面において業務カテゴリが選択されたか否かを判定する（Ｓ５０３）。ここで、業務カテゴリが選択されたと判定した場合（Ｓ５０３：ＹＥＳ）には、Ｓ５０４へ進む。これに対し、業務カテゴリが選択されていないと判定した場合（Ｓ５０３：ＮＯ）には、Ｓ５０５へ進む。
【００７８】
Ｓ５０４において、ＫＰＩ予実評価画面表示部７４は、画面上で選択された業務カテゴリに属する全マスタとその予実件数およびＫＰＩ評価値の一覧を取得し、ＫＰＩ評価一覧画面内に表示する。  
そして、ＫＰＩ予実評価画面表示部７４は、ＫＰＩ評価一覧画面上で画面終了コマンドが入力されたか否かを判定する（Ｓ５０５）。ここで、画面終了コマンドが入力されたと判定した場合（Ｓ５０５：ＹＥＳ）には、処理を終了する。これに対し、画面終了コマンドが入力されていないと判定した場合（Ｓ５０５：ＮＯ）には、Ｓ５０３へ戻る。
【００７９】
図３１は、ＫＰＩ評価履歴（グラフ表示）タブの選択時におけるＫＰＩ評価部７の処理例を示すフローチャートである。
【００８０】
先ず、ＫＰＩ予実評価画面表示部７４は、ＫＰＩ評価履歴画面を表示する（Ｓ６０１）。  
次に、ＫＰＩ予実評価画面表示部７４は、ユーザがＫＰＩ評価履歴画面上で業務別ＫＰＩ平均レートのメニューを選択したか否かを判定する（Ｓ６０２）。ここで、業務別ＫＰＩ平均レートを選択したと判定した場合（Ｓ６０２：ＹＥＳ）には、Ｓ６０３へ進む。これに対し、業務別ＫＰＩ平均レートを選択していないと判定した場合（Ｓ６０２：ＮＯ）には、Ｓ６０６へ進む。
【００８１】
Ｓ６０３において、ＫＰＩ予実評価画面表示部７４は、ＫＰＩ評価履歴画面内のボックスに業務カテゴリ一覧を表示する。  
次に、ＫＰＩ予実評価画面表示部７４は、ユーザが業務カテゴリ一覧の中から業務カテゴリを選択したか否かを判定する（Ｓ６０４）。ここで、業務カテゴリを選択したと判定した場合（Ｓ６０４：ＹＥＳ）には、Ｓ６０５へ進む。これに対し、業務カテゴリを選択していないと判定した場合（Ｓ６０４：ＮＯ）には、Ｓ６０６へ進む。
【００８２】
Ｓ６０５において、ＫＰＩ評価グラフ表示部７６は、業務カテゴリのＫＰＩ平均レート履歴データを取得し、ＫＰＩ評価履歴画面内にＫＰＩ評価グラフ表示し、Ｓ６０６へ進む。
【００８３】
Ｓ６０６において、ＫＰＩ予実評価画面表示部７４は、ＫＰＩ評価履歴画面上でマスタ別予実のメニューを選択したか否かを判定する（Ｓ６０６）。ここで、マスタ別予実を選択したと判定した場合（Ｓ６０６：ＹＥＳ）には、Ｓ６０７へ進む。これに対し、マスタ別予実を選択していないと判定した場合（Ｓ６０６：ＮＯ）には、Ｓ６１０へ進む。
【００８４】
次に、ＫＰＩ予実評価画面表示部７４は、ＫＰＩ評価履歴画面内のボックスにマスタ一覧を表示する（Ｓ６０７）。  
次に、ＫＰＩ予実評価画面表示部７４は、ユーザがマスタ一覧の中からマスタを選択したか否かを判定する（Ｓ６０８）。ここで、マスタを選択したと判定した場合（Ｓ６０８：ＹＥＳ）には、Ｓ６０９へ進む。これに対し、マスタを選択していないと判定した場合（Ｓ６０８：ＮＯ）には、Ｓ６１０へ進む。
【００８５】
Ｓ６０９において、マスタセットアップ予実グラフ表示部７５は、マスタの予実データを取得し、ＫＰＩ評価履歴画面内にマスタセットアップ予実グラフ表示し、Ｓ６１０へ進む。  
Ｓ６１０において、ＫＰＩ予実評価画面表示部７４は、ＫＰＩ評価履歴画面上で画面終了コマンドが入力されたか否かを判定する（Ｓ６１０）。ここで、画面終了コマンドが入力されたと判定した場合（Ｓ６１０：ＹＥＳ）には、処理を終了する。これに対し、画面終了コマンドが入力されていないと判定した場合（Ｓ６１０：ＮＯ）には、Ｓ６０２へ戻る。
【００８６】
このように、本実施形態に係るマスタセットアップ支援フレームワークシステムによれば、これまでシステムインテグレーション技術者の判断に依存していた入力手順や、影響のあるマスタ／パッケージ機能の関連などをデータとして定義することで、検索システムとしてユーザに公開される。これにより、システムインテグレーション技術者に依存することが少なくなり、プロジェクトコストの圧縮が可能となる。また、マスタセットアップ状況がリアルタイムに可視化されるため、プロジェクト管理者が早期に問題点を察知することも可能となる。
【００８７】
＜応用例＞
上記実施形態に係るマスタセットアップ支援フレームワークシステムは、データ定義とプログラムの集合体で提供される。プログラムは業務パッケージのマスタや構造に依存しない仕組みとなっており、正しくデータ定義がなされれば、あらゆる業務パッケージに対応してシステムを稼働することが可能である。したがって、様々な業務パッケージに対するマスタセットアップの補助ツールとして応用が可能である。上記実施形態に係るマスタセットアップ支援フレームワークシステムは、販売管理パッケージを想定しているが、生産管理パッケージ、財務会計パッケージ等の他パッケージでも、前述のデータ定義（マスタセットアップ者情報、マスタセットアップ予定件数情報、業務カテゴリ定義情報、マスタ定義情報）がなされれば、進捗情報抽出・判定、データベース抽出、マトリクス検索、ＫＰＩ評価をそれぞれ行うことが可能である。
【００８８】
また、本フレームワークシステムは業務パッケージのシステム立ち上げ時以降、運用フェーズ以降でも応用活用が可能である。例えば、年度末等の組織変更が発生した場合等、運用中の業務パッケージシステムのマスタ変更が必要となった場合、システム導入時と同様に、どのマスタに対し、誰が、いつまでに作業完了するかを本システムで継続的に管理することで、運用保守システムとしての活用が見込まれる。
【００８９】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
【符号の説明】
【００９０】
１…業務パッケージデータベース、
２…マスタセットアップ情報定義部、
３…データベース抽出部、
４…マトリクス検索部、
５…進捗抽出・判定部、
６…進捗・履歴情報データベース、
７…ＫＰＩ評価部、
１１…商品コードマスタ、
１２…商品名称マスタ、
１３…取引先マスタ、
１４…販売価格マスタ、
１５…製造価格マスタ、
２１…マスタセットアップ者情報テーブル、
２２…マスタセットアップ者定義部、
２３…マスタセットアップ予定件数情報テーブル、
２４…マスタセットアップ予定件数入力部、
２５…業務カテゴリ定義情報データベース、
２５ａ…業務カテゴリ名称テーブル、
２５ｂ…業務カテゴリ関連定義テーブル、
２６…業務カテゴリ情報定義部、
２７…マスタ定義情報記憶部、
２８…マスタ定義情報抽出部、
３１…データベースアクセス部、
３２…実績件数抽出部、
４１…マッピング情報抽出部、
４２…画面表示変換部、
４３…検索画面表示部、
４４…関連業務カテゴリ検索要求部、
４５…関連業務カテゴリ情報抽出部、
５１…進捗管理情報抽出部、
５２…進捗状況判定部、
５３…進捗状況表示部、
６１…進捗情報テーブル、
６２…マスタセットアップ予実履歴テーブル、
６３…マスタ別ＫＰＩ平均レート履歴テーブル、
６４…業務別ＫＰＩ平均レート履歴テーブル、
７１…予実件数抽出部、
７２…ＫＰＩ評価値計算部、
７３…履歴転記部、
７４…ＫＰＩ予実評価画面表示部、
７５…マスタセットアップ予実グラフ表示部、
７６…ＫＰＩ評価グラフ表示部、
７７…ファイル保存部。
【図１】
2016218537.tif 000003
【図２】
2016218537.tif 000004
【図３】
2016218537.tif 000005
【図４】
2016218537.tif 000006
【図５】
2016218537.tif 000007
【図６】
2016218537.tif 000008
【図７】
2016218537.tif 000009
【図８】
2016218537.tif 000010
【図９】
2016218537.tif 000011
【図１０】
2016218537.tif 000012
【図１１】
2016218537.tif 000013
【図１２】
2016218537.tif 000014
【図１３】
2016218537.tif 000015
【図１４】
2016218537.tif 000016
【図１５】
2016218537.tif 000017
【図１６】
2016218537.tif 000018
【図１７】
2016218537.tif 000019
【図１８】
2016218537.tif 000020
【図１９】
2016218537.tif 000021
【図２０】
2016218537.tif 000022
【図２１】
2016218537.tif 000023
【図２２】
2016218537.tif 000024
【図２３】
2016218537.tif 000025
【図２４】
2016218537.tif 000026
【図２５】
2016218537.tif 000027
【図２６】
2016218537.tif 000028
【図２７】
2016218537.tif 000029
【図２８】
2016218537.tif 000030
【図２９】
2016218537.tif 000031
【図３０】
2016218537.tif 000032
【図３１】
2016218537.tif 000033